(57)【要約】【課題】たとえば「なめこ」のような水洗いをすると鮮度が急激に低下し易くなる被計量物がオーバーフローする場合に、当該被計量物をラインから排出し得る計量システムを提供する。【解決手段】被計量物Ｍをラインに投入するための投入コンベヤ１，２と、投入された被計量物Ｍを水洗いしながら搬送する水洗コンベヤＳ３と、水洗いされた被計量物Ｍｓを計量して所定量の１まとめにする計量手段１１と、投入コンベヤ１，２の下流で、かつ、水洗コンベヤｓ３で水洗いされる前の被計量物Ｍｓがオーバーフローする場合に、当該オーバーフローする被計量物ＭｓをラインＬｓから排出するための排出手段１０とを備え、オーバーフローする場合に、被計量物ＭｓをラインＬｓから排出可能とする。【選択図】図２
2007263567.tif 000002
【特許請求の範囲】
【請求項１】
被計量物をラインに投入するための投入コンベヤと、
前記投入された被計量物を水洗いしながら搬送する水洗コンベヤと、
前記水洗いされた被計量物を計量して所定量の１まとめにする計量手段と、
前記投入コンベヤの下流で、かつ、前記水洗コンベヤで水洗いされる前の前記被計量物がオーバーフローする場合に、当該オーバーフローする被計量物をラインから排出するための排出手段とを備え、
前記オーバーフローする場合に、前記被計量物を前記ラインから排出可能とした被計量物の計量システム。
【請求項２】
請求項１において、前記被計量物が「なめこ」である計量システム。
【請求項３】
請求項２において、前記投入コンベヤと前記水洗コンベヤとの間に、大粒の「なめこ」と小粒の「なめこ」とに選別する大粒選別機を更に備え、
前記計量手段は、前記小粒の「なめこ」を前記計量する第１計量装置と、前記大粒の「なめこ」を前記計量する第２計量装置とを包含し、
前記排出手段は前記小粒の「なめこ」をラインから排出する第１排出装置と、前記大粒の「なめこ」をラインから排出する第２排出装置とを包含する計量システム。
【請求項４】
請求項３において、前記水洗コンベヤから前記第１計量装置まで小粒の「なめこ」を搬送する小粒搬送コンベヤラインと、
前記大粒選別機で選別された大粒の「なめこ」を搬送する大粒搬送コンベヤラインと、
前記小粒搬送コンベヤライン上の「なめこ」を前記大粒搬送コンベヤライン上に搬送するバイパスと、
前記小粒搬送コンベヤラインに設けられ、前記小粒の「なめこ」を前記第１計量装置または前記大粒搬送コンベヤラインのいずれか一方に選択的に振り分ける振分装置とを備え、
前記小粒の「なめこ」を第２計量装置で計量可能とした計量システム。
【発明の詳細な説明】
【技術分野】
【０００１】
本発明は、被計量物の計量システムに関するものである。
【背景技術】
【０００２】
従来より、オーバーフローが生じた場合の対策として、種々の過負荷防止装置が提案されている（たとえば、特許文献１）。
【特許文献１】特開平１０−３１６２１７号（要約書）
【発明の開示】
【発明が解決しようとする課題】
【０００３】
ところで、たとえば、「なめこ」などの農産物は、各農家ごとに栽培されて収獲されたものが１ヵ所に集められて出荷されている。そのため、「なめこ」を大規模に栽培し、大量の「なめこ」をラインに投入して計量するシステムはこれまで存在しなかった。
「なめこ」は、水洗いすると「ぬめり」が増し、鮮度が急激に低下する。そのため、水洗後にオーバーフローした「なめこ」をラインから排出した場合、鮮度が低下しているため、再度ラインに投入することができない。
【０００４】
したがって、本発明の目的は、たとえば「なめこ」のような水洗いをすると鮮度が急激に低下する被計量物がオーバーフローする場合に、当該被計量物の鮮度を低下させずにラインから排出し得る計量システムを提供することである。
【課題を解決するための手段】
【０００５】
前記目的を達成するために、本発明の計量システムは、被計量物をラインに投入するための投入コンベヤと、前記投入された被計量物を水洗いしながら搬送する水洗コンベヤと、前記水洗いされた被計量物を計量して所定量の１まとめにする計量手段と、前記投入コンベヤの下流で、かつ、前記水洗コンベヤで水洗いされる前の前記被計量物がオーバーフローする場合に、当該オーバーフローする被計量物をラインから排出するための排出手段とを備え、前記オーバーフローする場合に、前記被計量物を前記ラインから排出可能としたことを特徴とする。
【発明の効果】
【０００６】
本発明における被計量物としては、たとえば、「なめこ」のような水洗いすると鮮度が急激に低下し易くなる農産物などがある。
本発明によれば、生産ラインの計量手段が故障した場合や、計量手段の処理能力が間に合わない場合には、前記被計量物をオーバーフローさせる。この場合、水洗いする前に被計量物をオーバーフローさせてラインから排出させるので、時間がある程度経過した後に鮮度を落とさずに再度ラインに投入することができる。
【発明を実施するための最良の形態】
【０００７】
本発明においては、前記投入コンベヤと前記水洗コンベヤとの間に、大粒の「なめこ」と小粒の「なめこ」とに選別する大粒選別機を更に備え、前記計量手段は、前記小粒の「なめこ」を前記計量する第１計量装置と、前記大粒の「なめこ」を前記計量する第２計量装置とを包含し、前記排出手段は前記小粒の「なめこ」をラインから排出する第１排出装置と、前記大粒の「なめこ」をラインから排出する第２排出装置とを包含するのが好ましい。
【０００８】
この態様によれば、大粒の「なめこ」と、小粒の「なめこ」とを自動選別し、それぞれに分けて計量することができる。
また、オーバーフローする場合には、大粒と小粒とに選別された状態で排出することが可能となり至便である。
【０００９】
本発明においては、前記水洗コンベヤから前記第１計量装置まで小粒の「なめこ」を搬送する小粒搬送コンベヤラインと、前記大粒選別機で選別された大粒の「なめこ」を搬送する大粒搬送コンベヤラインと、前記小粒搬送コンベヤライン上の「なめこ」を前記大粒搬送コンベヤライン上に搬送するバイパスと、前記小粒搬送コンベヤラインに設けられ、前記小粒の「なめこ」を前記第１計量装置または前記大粒搬送コンベヤラインのいずれか一方に選択的に振り分ける振分装置とを備え、前記小粒の「なめこ」を第２計量装置で計量可能とするのが好ましい。
【００１０】
この態様によれば、振分装置によって、生産量の多い小粒の「なめこ」を必要に応じて２つの計量装置に交互に振り分けて計量することにより、生産性が向上する。また、第１計量装置のメンテナンス時や故障時において、前記振分装置によって小粒の「なめこ」を大粒搬送コンベヤラインに振り分けることで、第２計量装置を用いて小粒の「なめこ」を計量することができる。
【実施例１】
【００１１】
以下、本発明の一実施例を図面にしたがって説明する。
以下の説明では、本計量システムに用いる被計量物として、「なめこ」を例示して説明する。
【００１２】
概略構成：
まず、本システムの通常運転の場合について説明する。
図１に示すように、本システムは、小粒搬送コンベヤラインＬＳと大粒搬送コンベヤラインＬＢとを備えている。投入コンベヤ１，２から大粒選別機３に投入された「なめこ」Ｍは、当該大粒選別機３により、小粒「なめこ」Ｍｓと大粒「なめこ」Ｍｂとに選別される。
【００１３】
大粒選別機３としては、たとえば、大粒「なめこ」Ｍｂよりも若干小さな孔が形成された網目状の搬送面を持つコンベヤを用いることができる。大粒選別機３は、前記網目から落下したものを小粒「なめこ」Ｍｓとし、一方、該網目から落下しなかったものを大粒「なめこ」Ｍｂとして「なめこ」Ｍの選別を行う。
【００１４】
なお、大粒「なめこ」Ｍｂとしては、種々の大きさを設定できるが、本実施例では、傘の直径が約２．０ｃｍ以上のものとしている。また、大粒「なめこ」Ｍｂは、たとえば、天ぷらなどに供されるなど、一般に水洗いされずに食用に供される場合が多い。
【００１５】
前記大粒選別機３によって選別された小粒「なめこ」Ｍｓは小粒搬送コンベヤライン（以下、「小粒ライン」と称する）ＬＳに送られ、一方、大粒「なめこ」Ｍｂは大粒搬送コンベヤライン（以下、「大粒ライン」と称する）ＬＢに送られる。
【００１６】
小粒ラインＬＳ：
図１および図５に示すように、小粒ラインＬＳは、第１〜第７小粒コンベヤＳ１〜Ｓ７および小粒選別機４を備えている。大粒選別機３から第１小粒コンベヤＳ１に送られた小粒「なめこ」Ｍｓは、第２小粒コンベヤＳ２を通り、第３小粒コンベヤ（水洗コンベヤ）Ｓ３で水洗いされながら搬送された後、第４小粒コンベヤＳ４に送られる。その後、小粒「なめこ」Ｍｓは、第４コンベヤＳ４から小粒選別機４に搬送される。
【００１７】
小粒選別機４：
小粒選別機４により、小粒「なめこ」Ｍｓは、所定の標準サイズの小粒「なめこ」Ｍｓ、この標準サイズよりも大きな「なめこ」（中粒）、前記標準サイズの小粒「なめこ」Ｍｓよりも小さな「なめこ」（極小）およびゴミの３種類に選別される。小粒選別機４によって選別された標準サイズの小粒「なめこ」Ｍｓは、下流の第５小粒コンベヤＳ５に送られる。一方、図５に示すように、標準サイズ以外の中粒および極小「なめこ」やゴミは、二点鎖線で示すように、系外に排出される。小粒選別機４としては、たとえば、網目状のコンベヤを用いることができる。
【００１８】
前記選別後の標準サイズの小粒「なめこ」Ｍｓは、第５小粒コンベヤＳ５から、振分装置５を介して第６および第７小粒コンベヤＳ６，Ｓ７を経て、第１計量装置１１（計量手段の一例）に供給される。
【００１９】
このように、図１の大粒選別機３により選別された小粒「なめこ」Ｍｓは、小粒ラインＬＳにおいて、第１〜第２小粒コンベヤＳ１〜Ｓ２によって搬送され、水洗コンベヤＳ３によって水洗いされた後、第４コンベヤＳ４により小粒選別機４に搬送される。小粒「なめこ」Ｍｓは、小粒選別機４により標準サイズの小粒「なめこ」Ｍｓのみが更に選別された後、下流の第５〜第７小粒コンベヤＳ５〜Ｓ７によって第１計量装置１１に供給される。
【００２０】
大粒ラインＬＢ：
一方、図６に示すように、大粒ラインＬＢは、第１〜第４大粒コンベヤＢ１〜Ｂ４を備えている。前記大粒選別機３によって選別された大粒「なめこ」Ｍｂは、第１〜第４大粒コンベヤＢ１〜Ｂ４により第２計量装置１２（計量手段の一例）に供給される。
【００２１】
計量装置１１，１２：
図５および図６に示す第１および第２計量装置１１，１２は組合せ計量装置からなり、それぞれ、小粒および大粒「なめこ」Ｍｓ，Ｍｂを計量して所定量のひとまとめにした後、下流に排出する。前記計量装置１１，１２の下流では、小粒と大粒の「なめこ」Ｍｓ，Ｍｂがそれぞれ袋詰めされた後、箱詰されて出荷される。
【００２２】
オーバーフローする場合：
ところで、本システムでは、大量の「なめこ」Ｍを扱うため、下流での処理が間に合わず、オーバーフローが生じる場合がある。以下、オーバーフローが生じた場合の処理について説明する。
【００２３】
第１排出装置１０：
図１に示す第１小粒コンベヤＳ１の下流には、第１排出装置１０（排出手段の一例）が設けられている。第１排出装置１０は、通常運転時には、小粒「なめこ」Ｍｓを第２小粒コンベヤＳ２に送り、オーバーフローの場合には、小粒「なめこ」Ｍｓを排出方向に排出する。
【００２４】
第１排出装置１０は、図１の実線で示す第２小粒コンベヤＳ２に向かう方向と、二点鎖線で示す排出方向とに回動可能なガイド１０ａを備えた回転装置を備えている。通常運転時には、ガイド１０ａが第２小粒コンベヤＳ２に向かう方向に設定され、「なめこ」Ｍｓが第２小粒コンベヤＳ２に搬送される。一方、オーバーフローする場合には、図２および図６に示すように、ガイド１０ａが排出方向に設定されて、小粒「なめこ」Ｍｓが小粒ラインＬＳの系外に排出され、図示しないオーバーフロー用の箱等に投入される。
【００２５】
このように、オーバーフローの場合には、第１排出装置１０によって、小粒「なめこ」Ｍｓを水洗コンベヤＳ３に搬送する前に、小粒ラインＬＳの系外に排出することができる。「なめこ」は、水洗いすると急激に鮮度が低下し易くなるので、水洗いの前に小粒「なめこ」Ｍｓを排出することにより、鮮度の低下を防止して、再度、搬送ラインに投入することができる。
【００２６】
第２排出装置（第１大粒コンベヤ）Ｂ１：
一方、大粒「なめこ」Ｍｂは、前記オーバーフローの場合、大粒選別機３の下流に設けられた第１大粒コンベヤＢ１が、図２に示すように、逆方向に回転されて大粒ラインＬＢの系外に排出される。したがって、第１大粒コンベヤＢ１は、大粒「なめこ」Ｍｂを大粒ラインＬＢの系外に排出させる第２排出装置（排出手段の一例）を構成している。
【００２７】
以上のように、オーバーフローの場合には、小粒「なめこ」Ｍｓと大粒「なめこ」Ｍｂとを排出手段１０，Ｂ１によって、ラインＬＳ，ＬＢの系外にそれぞれラインアウトさせることができるので、「なめこ」の鮮度を落とすことなく、オーバーフローが解消するまでの時間が経過した後、ラインＬＳ，ＬＢにそれぞれ再投入することができる。
【００２８】
ところで、計量装置１１，１２の一方にトラブルや清掃の必要性が生じることもある。ここで、本システムでは、前述のように、大粒選別機３によって小粒「なめこ」Ｍｓと大粒「なめこ」Ｍｂとに選別された状態でラインアウトさせるので、正常に運転されているラインについては、そのまま運転し、トラブルの生じたラインについてはオーバーフロー分を排出装置を介して排出することができる。つまり、大粒と小粒のラインを選択的に通常の運転を行うことができる。
【００２９】
小粒「なめこ」Ｍｓの振り分け：
ここで、「なめこ」は、小粒「なめこ」Ｍｓの市場での需要が高いので、小粒「なめこ」Ｍｓが大粒「なめこ」Ｍｂまで成長しない所定の時期に収獲される。したがって、小粒「なめこ」Ｍｓの収獲量が大粒「なめこ」Ｍｂよりも多い。そのため、本システムでは、大量の小粒「なめこ」Ｍｓが投入される場合には、以下に説明するように、小粒「なめこ」Ｍｓの計量および包装を、第１および第２ラインＬＳ，ＬＢの両ラインを用いて行うことができるようにしている。
【００３０】
振分装置５：
図５に示すように、小粒ラインＬＳの第５小粒コンベヤＳ５の下流には、振分装置５が設けられている。振分装置５の下流には、図３に示すように、第６小粒コンベヤＳ６の他に、小粒ラインＬＳと大粒ラインＬＢとを継ぐバイパスコンベヤ６が設けられている。
すなわち、振分装置５は、小粒「なめこ」Ｍｓを小粒ラインＬＳまたは大粒ラインＬＢのいずれか一方に選択的に振り分けることが可能である。バイパスコンベヤ６は、振分装置５によって、大粒ラインＬＢ側に振り分けられた小粒「なめこ」Ｍｓを第２大粒コンベヤＢ２に搬送する。
【００３１】
図３に示すように、振分装置５により、小粒「なめこ」Ｍｓを小粒ラインＬＳと大粒ラインＬＢとに交互に振り分けることにより、該小粒「なめこ」Ｍｓの計量を両計量装置１１，１２を用いて行うことができる。したがって、生産量の多い小粒の「なめこ」を、必要に応じて２つの計量装置に振り分けて計量することができるので、生産性が向上する。
この場合、大粒「なめこ」Ｍｂは、第１大粒コンベヤＢ１を逆回転させることにより、大粒ラインＬＢの系外に排出される。
【００３２】
第１計量装置１１が停止した場合：
ここで、第１計量装置１１の故障やメンテナンスなどで、該第１計量装置１１を停止させる場合がある。かかる場合、本システムでは、図４に示すように、水洗い後の小粒「なめこ」Ｍｓを大粒ラインＬＢで搬送し、第２計量装置１２を用いて計量することができる。
【００３３】
すなわち、図４の前記小粒ラインＬＳによって搬送された小粒「なめこ」Ｍｓは、水洗コンベヤＳ３により水洗いされ、小粒選別機４により標準サイズが選別された後、振分装置５（図５）によってバイパスコンベヤ６に振り分けられ、該バイパスコンベヤ６によって第２大粒コンベヤＢ２に搬送される。小粒「なめこ」Ｍｓは、前記第２大粒コンベヤＢ２から、第３〜第４大粒コンベヤＢ３〜Ｂ４によって、第２計量装置１２に供給される。
【００３４】
以上のとおり、図面を参照しながら好適な実施例を説明したが、当業者であれば、本明細書を見て、自明な範囲で種々の変更および修正を容易に想定するであろう。
たとえば、前述の実施例では、搬送ラインを小粒ラインＬＳと大粒ラインＬＢからなる２本のラインとしたが、搬送ラインを１本の小粒ラインＬＳのみとしてもよい。
また、３本以上の搬送ラインを設けてもよい。かかる場合には、大粒「なめこ」の搬送ラインよりも、処理量の多い小粒「なめこ」の搬送ラインを多く設けるのが好ましい。
したがって、そのような変更および修正は、請求の範囲から定まる本発明の範囲のものと解釈される。
【産業上の利用可能性】
【００３５】
本装置は、たとえば、「なめこ」のように水洗いすると急激に鮮度が低下し易くなる農産物などの被計量物の計量システムに用いることができる。
【図面の簡単な説明】
【００３６】
【図１】本発明の一実施例にかかる「なめこ」の計量システムの通常時の運用方法を示す概略平面レイアウト図である。
【図２】オーバーフローの場合の「なめこ」の搬送方法を示す概略平面レイアウト図である。
【図３】「なめこ」の振り分け方法を示す概略平面レイアウト図である。
【図４】「なめこ」の他の振り分け方法を示す概略平面レイアウト図である。
【図５】小粒搬送コンベヤラインの要部を示す概略側面レイアウト図である。
【図６】主として大粒搬送コンベヤラインを示す概略側面レイアウト図である。
【符号の説明】
【００３７】
３：大粒選別機
５：振分装置
６：バイパスコンベヤ
１１：第１計量装置（計量手段）
１２：第２計量装置（計量手段）
Ｌｂ：大粒ライン（大粒搬送コンベヤライン）
Ｌｓ：小粒ライン（小粒搬送コンベヤライン）
Ｍ：「なめこ」（被計量物）
Ｍｂ：大粒「なめこ」（被計量物）
Ｍｓ：小粒「なめこ」（被計量物）
Ｓ３：水洗コンベヤ
【図１】
2007263567.tif 000003
【図２】
2007263567.tif 000004
【図３】
2007263567.tif 000005
【図４】
2007263567.tif 000006
【図５】
2007263567.tif 000007
【図６】
2007263567.tif 000008